【事件の表示】
　平成　９年特許願第　　９５２０号「走査型光学顕微鏡」拒絶査定に対する審判事件［平成１０年　８月　７日出願公開、特開平１０−２０６７４５］について、次のとおり審決する。
【結　論】
　本件審判の請求は、成り立たない。
【理　由】
１．手続の経緯・本願発明
　本願は、平成９年１月２２日に出願した特願平９−９５２０号であって、平成１４年６月２８日付で拒絶査定がなされ、これに対し同年８月１日に拒絶査定に対する審判請求がなされたものである。
　
２．本願発明
　本願の請求項２に係る発明は、平成１３年１１月２８日付及び平成１４年５月２７日付の手続補正書により補正された明細書及び図面の記載からみて、特許請求の範囲の請求項２に記載された次のとおりのものと認める（以下、「本願発明」という。）。
　
「光源からの光ビームを対物レンズを介して２種以上の蛍光色素で染色された標本に集光させて照射し、走査機構によって前記標本を光ビームで２次元に走査する走査型光学顕微鏡において、
　前記光源から標本に至る光路の途中で、２種以上の励起波長の中から前記２種以上の蛍光色素を励起させる励起波長を１種づつ選択する波長選択手段と、
　前記２種以上の励起波長でそれぞれ励起された標本からの光を検出すべく設けられた検出器と、を備え、
　前記走査機構は、前記光ビームを標本に対してＸ方向に走査するＸスキャナミラーと、このＸ方向に対して直交するＹ方向に走査するＹスキャナミラーとを有し、
　前記波長選択手段が、前記Ｘスキャナミラーおよび前記Ｙスキャナミラーによる走査に同期して１ライン走査毎に励起波長を切換えることにより、それぞれの励起波長でそれぞれ励起された標本からの光を前記検出器で検出することを特徴とする走査型光学顕微鏡。」
　
　なお、請求項２の末尾における「走査型光学顕微
境
鏡
　
２．引用刊行物
　これに対して、原査定の拒絶の理由に引用された、本願出願前日本国内において頒布された刊行物である、特開平８−２９６９２号公報（以下、「引用例１」という。）には、次の事項が記載されている。
　
（ａ）「【０００１】【産業上の利用分野】本発明は蛍光顕微鏡に関するものである。更に詳しくは複数の蛍光色素を観察するレーザ走査型コンフォーカル顕微鏡を含む蛍光顕微鏡に関するものである。」（段落番号０００１）
　
（ｂ）「【０００２】【従来の技術】蛍光顕微鏡は、蛍光色素がその色素固有の吸収波長（励起波長）を持ち、励起波長の光、即ち励起光を吸収して（励起）、その色素固有の波長（蛍光波長：励起波長よりも波長が長い）の蛍光を発すると言う性質を用いて蛍光色素の蛍光を観察する顕微鏡である。」（段落番号０００２）
　
（ｃ）「【０００６】【発明が解決しようとする課題】しかし、図８に示すような、複数の反射領域９と複数の透過領域１０を有する分光特性を有するダイクロイックミラーを使用して、複数の蛍光色素を観察するシステムでは、ある励起光の励起波長が他の励起光による蛍光の蛍光波長と互いに重なり合う複数の蛍光色素からの蛍光を観察することができないから、複数蛍光色素の選択の余地が狭く限定されていた。
【０００７】蛍光と励起光が接近している場合には、非常に狭い波長範囲を反射する領域を有する図１０に実線で示すような分光特性を有するダイクロイックミラーを用いて、反射領域９でそれぞれの蛍光色素用の点線で示す励起光を反射し、透過領域１０でそれぞれの鎖線で示す蛍光を透過させていた。しかしこの方法では、蛍光はかなりの部分が透過しないので、光量の損失が大きく、ただでさえ微弱な蛍光の検出感度が悪くなっていた。また、特殊なダイクロイックミラーを用いているため、製造が困難で高価になってしまうと言う問題があった。
【０００８】また、図９に示すような、ダイクロイックミラー、励起、蛍光フィルターの複数のセットを切換えて観察するシステムを用い、複数の蛍光色素により試料を観察する方法は、ダイクロセットを顕微鏡の観察光学系の光路に順次挿入するように移動するためは、切換えのために少なくとも数百ミリ秒の時間が必要である。そのため切換え時間より短い時間に変化する、速い蛍光の変化を観察することができず、その上、ダイクロセットの移動に伴う振動に起因して試料が動き、試料の同じ位置を反復して観察することが困難であると言う問題があった。
【０００９】本発明は上記の課題に鑑み、複数の蛍光色素により標識された試料を、励起光及び蛍光を有効に利用し、高い時間分解能で、試料に振動を与えず観察することができる蛍光顕微鏡を提供することを目的とする。」（段落番号０００６〜０００９）
　
（ｄ）「【００３４】次に第３の実施例について図３により説明する。本実施例はレーザ走査型コンフォーカル顕微鏡である。上述した一実施例と同一又は類似の点の説明の詳述は省略する。レーザ光源３１、３２、励起光のみを透過するフィルタ１２、１６、励起光の波長を含みそれより短波長側の光を反射し、励起光の波長を超える長波長側の光を透過するダイクロイックミラー１３、１７、蛍光を透過し励起光を反射するフィルタ１４、１８が設けられている。ガルバノメータミラー１９は励起光の光路に対する角度位置２０、２１の間を数ミリ秒で切換える反射鏡である。対物レンズ４は励起光を収束して試料５を照射し、検出装置２２、２３で試料５から発光した蛍光を検出する。ガルバノメータミラー１９と対物レンズ４との間に、Ｘ−Ｙスキャナ３３が設けられ、及びフィルタ１４、１８と検出装置２２、２３との間の、試料５からの蛍光が焦点を結ぶ位置にピンホール３４、３５がそれぞれ設けられている。
【００３５】次に、光の進行について説明する。光源３１から出射した励起光は、フィルタ１２、ダイクロイックミラー１３、ガルバノメータミラー１９を介してＸ−Ｙスキャナ３３に入射し、二次元走査されてから、対物レンズ４に入射して試料５を照射する。この時のガルバノメータミラー１９は角度位置２０にある。試料５から発光した蛍光は、Ｘ−Ｙスキャナ３３まで逆行して二次元走査され、ガルバノメータミラー１９、ダイクロイックミラー１３、フィルタ１４を介して、ピンホール３４に焦点を結んだ後、検出装置２２に入射する。
【００３６】同様にして、光源３２から出射した励起光は、角度位置２１のガルバノメータミラー１９で反射し、Ｘ−Ｙスキャナ３３で二次元走査されてから、試料５を照射する。試料５から発光した蛍光は、Ｘ−Ｙスキャナ３３で二次元走査されてから、角度位置２１のガルバノメータミラー１９で反射し、ピンホール３５に焦点を結んだ後、検出装置２３に入射する。
【００３７】本実施例では、各光源からの光路でそれぞれコンフォーカル顕微鏡光学系が存在し、ガルバノメータミラーでこれらの光路を切換えることで、二つの蛍光色素の蛍光を、ミリ秒の時間分解能で切換え、蛍光を損失することなく二次元画像として観察することができる。尚光源、フィルタ、ダイクロイックミラー、ピンホール、検出器を増設し、より多くの蛍光の観察が可能となる。」（段落番号００３４〜００３７）
　
（ｅ）「【００４１】次に、第５の実施例を図５により説明する。光源３１、３２から出射した励起光がガルバノメータミラー１９により交代で偏向され、Ｘ−Ｙスキャナ３３で二次元走査されてから、試料５を照射し、励起されて発生した蛍光がガルバノメータミラー１９を介して逆進し、それぞれの光路で蛍光を透過し励起光を反射するフィルタ１４、１８を透過し、ピンホール３４、３５に焦点を結ぶまでの構成及び動作は上述した第３の実施例と同一であり、それ以降の、２本の蛍光の光路を偏向するミラー４１、４２が設けられて２本の蛍光の光路が交代で１個の検出装置４６へ向かう光路に導かれ、蛍光が検出される構成及び動作は上述した第４の実施例と同一である。本実施例では、ピンホールをミラー４１、４２による偏向の後に、ガルバノメータミラー４３と検出装置４６との間に１個配置する構成にしても良い。
【００４２】本実施例では、各光源からの光路でそれぞれコンフォーカル顕微鏡光学系が存在し、２個の互いに同期したガルバノメータミラーでこれらの光路を切換えることで、１個の検出装置により２種の蛍光を、ミリ秒の時間分解能で、蛍光を損失することなく廉価にコンフォーカル観察することができる。又光源、フィルタ、ミラー、ダイクロイックミラー、検出器を増加し、より多くの蛍光の観察が可能となる。」（段落番号００４１〜００４２）
　
（ｆ）「【００４３】【発明の効果】請求項１の発明では、第１の励起光と第２の励起光とは、光路切換手段により高速に相互に切換えて標本へ向かう同一光路に導かれ、交代に発生する蛍光は逆進してから、光路切換手段により個別の光路に導かれ、個別に検出されるから、複数の蛍光色素により標識された試料をその蛍光の光量を有効に利用し、高い時間分解能で、試料に振動を与えず観察することができる。
【００４４】請求項５の発明では、第１の励起光と第２の励起光とは、光路切換手段により高速に相互に切換えて標本へ向かう同一光路に導かれ、交代に発生する蛍光は逆進してから、光路切換手段により個別の光路に導かれ、再び第２の光路切換手段により共通の検出装置に導かれ、検出されるから、複数の蛍光色素により標識された試料をその蛍光の光量を有効に利用し、高い時間分解能で、試料に振動を与えず廉価な装置で観察することができる。」（段落番号００４３〜００４４）
　
　これらの記載事項及び図面の記載からみて、引用例１には、以下の発明が記載されているものと認める（以下、「引用発明」という。）。
　
「レーザ光源からの励起光を対物レンズを介して２種の蛍光色素で標識された試料に収束させて照射し、Ｘ−Ｙスキャナによって前記試料を励起光で二次元走査するレーザ走査型コンフォーカル顕微鏡において、
　前記レーザ光源から試料に至る光路の途中で、２種の励起光の中から前記２種の蛍光色素を励起させる励起光を１種づつ選択するガルバノメータミラー１９と、
　前記２種の励起光でそれぞれ励起された試料からの蛍光を検出すべく設けられた検出器と、を備え、
  前記ガルバノメータミラーが、励起光を切換えることにより、それぞれの励起光でそれぞれ励起された試料からの蛍光を前記検出器で検出することを特徴とするレーザ走査型コンフォーカル顕微鏡。」
　
３．対比
　本願発明と引用発明とを対比すると、引用発明における「レーザ光源」、「励起光」、「標識」、「試料」、「収束」、「Ｘ−Ｙスキャナ」、「二次元走査」、「レーザ走査型コンフォーカル顕微鏡」、「試料からの蛍光」は、それぞれ本願発明における「光源」、「光ビーム」、「染色」、「標本」、「集光」、「走査機構」、「２次元に走査」、「走査型光学顕微鏡」、「標本からの光」に相当する。
　また、引用例１の記載事項（ｂ）（特に「励起波長の光、即ち励起光」の記載事項）及び記載事項（ｄ）（特に「励起光のみを透過するフィルタ１２、１６」の記載事項）からみて、引用発明においてもガルバノメータミラーにて励起波長を選択しており、引用発明における「ガルバノメータミラー１９」は、本願発明における「波長選択手段」に相当する。
　したがって、両者は、
　
「光源からの光ビームを対物レンズを介して２種以上の蛍光色素で染色された標本に集光させて照射し、走査機構によって前記標本を光ビームで２次元に走査する走査型光学顕微鏡において、
　前記光源から標本に至る光路の途中で、２種以上の励起波長の中から前記２種以上の蛍光色素を励起させる励起波長を１種づつ選択する波長選択手段と、
　前記２種以上の励起波長でそれぞれ励起された標本からの光を検出すべく設けられた検出器と、を備え、
　前記波長選択手段が、励起波長を切換えることにより、それぞれの励起波長でそれぞれ励起された標本からの光を前記検出器で検出することを特徴とする走査型光学顕微鏡。」
　
である点で一致し、以下の点で相違する。
　
［相違点１］
　光ビームの走査機構として、本願発明では、光ビームを標本に対してＸ方向に走査するＸスキャナミラーと、このＸ方向に対して直交するＹ方向に走査するＹスキャナミラーとを用いているのに対し、引用発明では、単にＸ−Ｙスキャナとしか記載されていない点。
　
［相違点２］
　本願発明では、波長選択手段が、ＸスキャナミラーおよびＹスキャナミラーによる走査に同期して１ライン走査毎に励起波長を切換えているのに対し、引用発明では、励起波長の切換えのタイミングについて言及していない点。
　
４．当審の判断
　上記各相違点について検討する。
　
（１）相違点１について
　Ｘ方向に走査するＸスキャナミラーと、このＸ方向に対して直交するＹ方向に走査するＹスキャナミラーとから構成されるＸ−Ｙスキャナは、従来周知（例えば、特開平５−３０９７４７号公報（段落００１３、段落００１７、図１、図２）、特開平５−７７３２３号公報（段落００１４、段落００２０、図１、図２）、特開平３−１８０２８５号公報（特許請求の範囲、第３頁左上欄２行〜５行、第３頁右下欄下から９行〜下から２行）参照）である。
　そして、引用発明におけるＸ−Ｙスキャナも二次元走査、すなわちＸ方向及びＹ方向の走査を目的とするものであるから、その具体的な構成として上記した周知技術を採用し、本願発明のように構成することは当業者であれば容易に想到できるものである。
　
（２）相違点２について
　異なる波長ごとに二次元走査を行う際、その走査に同期して１ライン走査毎に波長を切換えることは従来周知（例えば、特開平１−３１６７１５号公報（第４頁左下欄下から３行〜右下欄１２行、第２図）、特開昭５０−９９７７９号公報（第３頁右上欄１１行〜第４頁右上欄下から１行）、特開昭５０−１０４０７７号公報（第２頁右下欄１２行〜第３頁左上欄下から８行）参照）である。
　そして、引用発明においても二次元走査のいずれかのタイミングで励起波長を切換えねばならいのであるから、そのタイミングとして上記した周知技術を採用し、本願発明のように走査に同期して１ライン走査毎に励起波長を切換えるよう構成することは当業者であれば容易に想到できるものである。
　
　また、本願発明の効果も引用例１及び周知技術から予測される程度のものにすぎない。
　
４．むすび
　以上のとおりであるから、本願発明は引用例１に記載された発明及び周知技術に基づいて当業者が容易に発明をすることができたものであるから、特許法第２９条第２項の規定により特許を受けることができない。
　よって、結論のとおり決定する。